(57)【要約】 【課題】エネルギー節約及び浴槽内のお湯（水）を出来るだけ衛生的な状態に維持するために、浴槽内のお湯（水）の量を節約することが出来、且つ、浴槽に入る際に十分な高さまで（例えば、肩又は首まで）お湯に浸かることが出来るような用具を提供すること。【解決手段】水の比重以下の比重を有する風呂用用具であって、浴槽内の水中に漂うか、及び/又は、底に沈んだ状態で使用することを特徴とする該用具。【選択図】図１
2011125637.tif 000002
【特許請求の範囲】
【請求項１】
水の比重以下の比重を有する風呂用用具であって、浴槽内の水中に漂うか、及び／又は、底に沈んだ状態で使用することを特徴とする該用具。
【請求項２】
水の比重以下の比重を有する素材から成る、請求項１記載の風呂用用具。
【請求項３】
複数の種類の素材から構成される、請求項１記載の風呂用用具。
【請求項４】
内部に錘を含む、請求項３記載の風呂用用具。
【請求項５】
相互に脱着可能に連結して成る、請求項１〜４のいずれか一項に記載の風呂用用具。
【発明の詳細な説明】
【技術分野】
【０００１】
本発明は、主に家庭の浴槽内で使用する用具、具体的には、浴槽の湯（水）中に漂うか、及び／又は、浴槽底に沈んだ状態で使用する用具に関する。
【背景技術】
【０００２】
これまでに、浮沈玩具（特許文献１）、風呂用玩具（特許文献２）、及び玩具内蔵入浴剤（特許文献３）等の浴槽で使用する玩具が開発されてきた。
【０００３】
特許文献１に記載の浮沈玩具は入浴玉を収容する中空を有してなり、入浴玉が湯中で発泡するときに発生するエアによる浮力と錘の重さで浮上・沈降を繰り返すものであり、そのアクション性を特徴とするものである。特許文献２に記載の風呂用玩具は、浴室で使用する洗面器に玩具として機能を持たせたものである。又、特許文献３に記載の玩具内蔵入浴剤は、固形入浴剤に格納された、駆動手段を有する玩具から構成され、該玩具内蔵入浴剤が浴槽内で溶解した結果、該玩具が水中で解放状態となり所定の運動を開始するものである。
【先行技術文献】
【特許文献】
【０００４】
【特許文献１】特開２００５−８０７９５号公報
【特許文献２】特開２００５−１９９０００号公報
【特許文献１】特開２００５−２９８４６１号公報
【発明の概要】
【発明が解決しようとする課題】
【０００５】
入浴する場合に、エネルギー節約及び浴槽内のお湯（水）を出来るだけ衛生的な状態に維持するために、浴槽内のお湯（水）の量は、入浴中に十分に体を浸かることが出来る限り、出来るだけ少量で済ますことが望まれる。
【０００６】
又、家庭などで子供が入浴する場合など、浴槽内で使用することの出来る玩具があれば、浴槽内で飽きずに時間が過ごすことが可能となり、結果的に、お風呂を敬遠する子供でも十分に体を温めることが出来る。
【０００７】
しかしながら、上記の特許文献に記載されているような従来の浴槽で使用する玩具等は、浴槽の湯（水）中に漂うか、又は、浴槽底に沈んだ状態で使用する用具に関するものではない。従って、主に、家庭で入浴する場合に、浴槽内のお湯（水）の量を効果的に節約できるものではない。
【課題を解決するための手段】
【０００８】
本発明者は上記の課題を解決すべく検討の結果、以下に示す発明を完成させた。
【０００９】
即ち、本発明は、主に以下の各態様を含むものである。
［態様１］
水の比重以下の比重を有する風呂用用具であって、浴槽内の水中に漂うか、及び／又は、底に沈んだ状態で使用することを特徴とする該用具。
［態様２］
水の比重以下の比重を有する素材から成る、態様１記載の風呂用用具。
［態様３］
複数の種類の素材から構成される、態様１記載の風呂用用具。
［態様４］
内部に錘を含む、態様３記載の風呂用用具。
［態様５］
相互に脱着可能に連結して成る、請求項１〜４のいずれか一項に記載の風呂用用具。
【発明の効果】
【００１０】
本発明の風呂用用具は、入浴時に、浴槽内の水中に漂うか、及び/又は、浴槽の底に沈んだ状態になるので、浴槽内のお湯（水）の量を効果的に節約することが出来る。
【００１１】
本発明の風呂用用具一つの大きさ・重量は小さいものであるので、使用しないときには子供でも簡単に浴槽内から取り出し、洗浄・乾燥・保存できるので、衛生的に管理することが可能である。
【００１２】
更に、浴槽の大きさ、使用する湯量等に応じて、使用する風呂用用具の数を適当に選ぶことによって浴槽内の水の量を調節することが容易であり、その結果、浴槽内のお湯（水）の量を効果的に節約しながら、浴槽に入る際に十分な高さまで（例えば、肩又は首まで）お湯に浸かることが出来る。
【図面の簡単な説明】
【００１３】
【図１】本発明の風呂用用具（１）を浴槽（２）内で使用して入浴している様子を示す模式図である。
【発明を実施するための形態】
【００１４】
本発明の技術的範囲は以下の記載によって何ら限定して解釈されるものではない。当業者であれば、本明細書の記載に基づき、本発明の技術的範囲を逸脱せずに、多くの変形及び修飾を実施することが可能である。以下の記載中の番号は図１中の番号と一致する。
【００１５】
本発明の風呂用用具（１）は、水の比重以下の比重を有することによって、浴槽（２）内の水中に漂うか、及び/又は、浴槽の底に沈んだ状態になる。本明細書において、「浴槽内の水」は、例えば、入浴時のように、適当な温度に加熱された「お湯」も含むものであり、その温度に特に制限はない。
【００１６】
本発明の風呂用用具の比重に特に上限はないが、使用しないときに浴槽内から取り出し、洗浄・乾燥等の取り扱いを容易に行なうためには、比重は、例えば、1〜1.2程度のものが好ましい。
【００１７】
又、本発明の風呂用用具は、通常、複数個を同時に使用するが、その大きさ・形状については、一つの大きさが小さいほうが浴槽内の水量調節及び取り扱いには便利である。一方で、一つがあまり小さいと多数の風呂用用具が必要となる。又、本発明の風呂用用具は入浴時に身体に接触することになるので、その大きさ及び形状によって感触が異なる。以上の点を考慮して、通常、適当な大きさ、例えば、片手で１個〜数個が乗る程度の大きさ、例えば、球状、楕円、又は立方体状のような角のない形状を使用することが出来る。更に、大きさ・形状が夫々異なる様々な種類の風呂用用具を混ぜて使用することが可能である。
【００１８】
本発明の風呂用用具に使用する素材は、浴槽内のお湯の温度（４０〜４５℃程度）に対する耐熱性、耐久性、安全性等の従来技術において浴室又は浴槽内で使用される、桶、洗面具、及び椅子等の各種用具に要求される特性を有する限り、特にその種類に制約はない。
【００１９】
例えば、本発明の風呂用用具を水の比重以下の比重を有する一種類の素材から形成されたものとすることが出来る。このような場合には、例えば、所定の形状の金型を用いる一体成形等の当業者には公知の任意の手段によって容易に製造することができる。
【００２０】
或いは、本発明の風呂用用具は、数の種類の素材から構成されていても良い。例えば、外層が比重の比較的小さい合成樹脂及び木材等からなり、その内部に比重の比較的大きい、例えば、金属製の錘を含むことによって、全体としての比重を水の比重以下にすることが出来る。
【００２１】
更には、本発明の風呂用用具はゴム等の柔らかな収縮性素材からなる袋又は球体状の物体の中に水などの適当な流体を注入して膨らませて作製することができる。このような型の風呂用用具は、使用しないときには流体を排出して容積を小さくすることが出来るので、収納・保管の際のスペースが少なくて済み便利である。
【００２２】
本発明の風呂用用具は、浴槽内の水中に漂うか、及び/又は、浴槽の底に沈んだ状態になる。風呂用用具の全てが完全に浴槽の底に沈む必要はない。
【００２３】
このような素材の例として、従来技術において浴室又は浴槽内で使用される、桶、洗面具、及び椅子等の各種用具に使用される素材と同様の任意のものを用いることが出来る。例えば、ポリプロピレン、ポリエチレン製、及びアクリルニトリル−ブタジエン−スチレン（ＡＢＳ）樹脂等の熱可塑性樹脂等、又は、各種のスチレン系樹脂、例えば、スチレン系エラストマー等を含む各種の合成樹脂を好適に使用することが出来る。
【００２４】
本発明の風呂用用具の表面には、例えば、子供等が好むような適当な模様及び図案等を描くことによって、玩具としての機能も合わせ持つものとすることが出来る。
【００２５】
本発明の風呂用用具は、通常、複数個を同時に使用するが、例えば、一つ一つバラバラの状態、又は、適当な手段によって相互に脱着可能に連結され、例えば、全体として、複数の風呂用用具からなる鎖のような状態とすることが出来る。
【産業上の利用可能性】
【００２６】
本発明の風呂用用具使用することによって、お風呂としての機能を十分に維持しながら、使用する湯量を効果的に節約して、環境負荷を軽減することに貢献できる。
【図１】
2011125637.tif 000003